(57)【特許請求の範囲】
【請求項１】
発信側加入者へ発呼するための発呼情報を着信側加入者に対して通知する通信網を介してファクシミリ通信を行うものであって、かつ受信した画像の転送が送信元から指定された場合には当該画像を所定の転送先へと転送するファクシミリ装置において、
前記通信網からの通知に基づいて発信側加入者の発呼情報を認識する網通知発呼情報認識手段と、
発呼側加入者からの通知に基づいてその発呼側加入者の発呼情報を認識する加入者通知発呼情報認識手段と、
指定に応じて行った画像転送の結果を含む所定の結果情報を、当該転送した画像の受信の際に前記網通知発呼情報認識手段により認識された発呼情報と前記加入者通知発呼情報認識手段により認識された発呼情報とが同一であるならばその発呼情報を、また異なるならばそれらの発呼情報のそれぞれを用いてそれぞれ発呼して送信する転送結果通知手段とを具備したことを特徴とするファクシミリ装置。
【発明の詳細な説明】
【０００１】
【発明の属する技術分野】
本発明は、受信した画像を、他のファクシミリ端末へと転送する機能を有したファクシミリ装置に関する。
【０００２】
【従来の技術】
ファクシミリ装置には、受信した画像を、他のファクシミリ端末へと転送する機能を有したものがあり、このようなファクシミリ装置を介在させることで、中継伝送や中継同報通信を行うことが可能である。
【０００３】
このような中継伝送や中継同報通信は、中継を行うファクシミリ装置が送信元から送信された画像を受信したならば送信元のファクシミリ装置とのリンクを切断し、こののち転送先のファクシミリ端末とのリンクを確立して画像を転送することで実現される。
【０００４】
【発明が解決しようとする課題】
ところで、ＩＴＵ−Ｔ（International Telecommunication Union-Telecommunication sector）の勧告に従った例えばＧ３手順で画像伝送を行う場合、受信側に正しく画像が届いたか否かを送信側が確認することができる。
【０００５】
しかしながらこのような送達確認は、リンクが確立されている一対のファクシミリ端末の間でのみ行われるものである。
【０００６】
従って、他のファクシミリ端末に対してさらに別のファクシミリ端末への転送を依頼したファクシミリ装置では、その依頼した転送が正しく行われたのかを確認することができない。
【０００７】
このため、例えば大元の送信元のオペレータが最終的な送信先に正しく画像が届いたか否かを確認したい場合には、最終的な送信先のオペレータに電話をして聞くなどの措置をとらねばならず、非常に面倒であった。
【０００８】
本発明はこのような事情を考慮してなされたものであり、その目的とするところは、他のファクシミリ端末への画像の転送を行った際に、その転送の結果を画像の転送を要求してきたファクシミリ端末に対して自動的に通知することができるファクシミリ装置を提供することにある。
【０００９】
【課題を解決するための手段】
以上の目的を達成するために本発明は、例えばＰＳＴＮなどの所定の通信網を介してファクシミリ通信を行うものであって、かつ受信した画像の転送が送信元から指定された場合には当該画像を所定の転送先へと転送するファクシミリ装置において、発信側加入者の例えば電話番号などの発呼情報を、例えば前記通信網からの通知または前記発呼側端末からの通知に基づいて認識する、例えばＣＩ受信部または例えばＣＰＵのソフトウェア処理により実現される端末通知番号認識手段などの発呼情報認識手段と、指定に応じて行った画像転送の結果を含む所定の結果情報を、当該転送した画像の受信の際に前記発呼番号認識手段により認識された発呼情報を用いて発呼して送信する、例えばＣＰＵのソフトウェア処理により実現される転送結果通知手段とを備えた。
【００１０】
このような手段を講じたことにより、画像の受信時における発呼側加入者の発呼情報が自動的に認識され、その発呼側加入者からの指示に応じて画像転送を行った場合には、その転送した画像の受信時に認識しておいた発呼情報を用いた発呼がなされ、転送結果の通知がなされる。従って、画像転送を要求した側に、画像転送の結果の通知がなされる。
【００１１】
また前記目的を達成するために別の本発明は、発信側加入者へ発呼するための例えば電話番号などの発呼情報を着信側加入者に対して通知する例えばＰＳＴＮなどの通信網を介してファクシミリ通信を行うものであって、かつ受信した画像の転送が送信元から指定された場合には当該画像を所定の転送先へと転送するファクシミリ装置において、前記通信網からの通知に基づいて発信側加入者の発呼情報を認識する例えばＣＩ受信部などの網通知発呼情報認識手段と、発呼側加入者からの通知に基づいてその発呼側加入者の発呼情報を認識する、例えばＣＰＵ
のソフトウェア処理により実現される端末通知番号認識手段などの加入者通知発呼情報認識手段と、指定に応じて行った画像転送の結果を含む所定の結果情報を、当該転送した画像の受信の際に前記網通知発呼情報認識手段により認識された発呼情報と前記加入者通知発呼情報認識手段により認識された発呼情報とが同一であるならばその発呼情報を、また異なるならばそれらの発呼情報のそれぞれを用いてそれぞれ発呼して送信する、例えばＣＰＵのソフトウェア処理により実現される転送結果通知手段とを備えた。
【００１２】
このような手段を講じたことにより、画像の受信時における発呼側加入者の発呼情報が、通信網および発呼側加入者のそれぞれからの通知に基づいて自動的に認識され、その発呼側加入者からの指示に応じて画像転送を行った場合には、その転送した画像の受信時に認識しておいた発呼情報を用いた発呼がなされ、転送結果の通知がなされる。しかも、通信網および発呼側加入者のそれぞれからの通知に基づいて認識した各発呼情報が異なるならば、それらの発呼情報を用いた発呼がそれぞれなされ、転送結果の通知がそれぞれ行われる。従って、画像転送を要求した側に、画像転送の結果の通知がなされる。さらに、画像転送の要求が既に別のファクシミリ端末により転送されてきており、その転送を行ったファクシミリ端末からは大元の要求元の発呼情報が通知されるならば、そのような大元の要求元に対しても画像転送の結果の通知がなされる。
【００１３】
【発明の実施の形態】
以下、図面を参照して本発明の一実施形態につき説明する。
【００１４】
図１は本実施形態に係るファクシミリ装置の要部構成を示すブロック図である。
【００１５】
この図に示すように本実施形態のファクシミリ装置は、ＣＰＵ１、ＲＯＭ２、ＲＡＭ３、画像メモリ４、符号化・復号化部５、操作パネル６、スキャナ７、プリンタ８、モデム９、ＮＣＵ１０およびＣＩ受信部１１を有してなる。
【００１６】
そしてこれらの各部は、システムバス１２を介して互いに接続されている。
【００１７】
ＣＰＵ１は、ＲＯＭ２に格納された制御プログラムに基づいて本ファクシミリ装置の各部を総括制御するための制御処理を行うことでファクシミリ装置としての動作を実現する。
【００１８】
ＲＯＭ２は、ＣＰＵ１の制御プログラム等を記憶する。
【００１９】
ＲＡＭ３は、ＣＰＵ１が各種の処理を行う上で必要となる各種の情報を記憶しておくために使用される。
【００２０】
画像メモリ４は、受信した画像データや送信待ちの画像データを一時的に記憶しておく。またこの画像メモリ４の記憶領域の一部は、いくつかのメールボックスに指定されている。このメールボックスのそれぞれには、転送先となるファクシミリ端末の電話番号が対応付けられており、その転送先へと転送するべき画像データが格納される。
【００２１】
符号化・復号化部５は、画像データに対して冗長度圧縮のための符号化処理を施すとともに、冗長度圧縮のための符号化がなされている画像データの復号を行うものである。
【００２２】
操作パネル６は、ユーザによるＣＰＵ１に対する各種の指示入力を受け付けるためのキー入力部や、ユーザに対して報知すべき各種の情報をＣＰＵ１の制御の下に表示するための表示部などを有する。
【００２３】
スキャナ７は、送信原稿の読取りを行って、その送信原稿を示す画像データを生成する。
【００２４】
プリンタ８は、画像データが示す画像を記録用紙に対して印字する。
【００２５】
モデム９は、画像データを変調してファクシミリ伝送信号を生成したり、ＣＰＵ１から与えられるコマンドを変調してコマンド伝送信号を生成するものであり、これらの伝送信号を通信回線Ｃへと送出する。またモデム９は、通信回線Ｃを介して到来したファクシミリ伝送データを復調して画像データを再生したり、コマンド伝送信号を復調してコマンドを再生する。
【００２６】
ＮＣＵ１０は、接続された通信回線Ｃに関して、状態監視や網への発信処理などを行なう。またＮＣＵ１０は、通信回線Ｃに対して送出するファクシミリ伝送信号の等化を図るとともに、レベルを設定する。なお通信回線Ｃは、着信先の呼出し時に、発信元の電話番号などを示す発信者番号を含んだＣＩ（Caller ID）信号を着信先に与える機能を有する図示しないＰＳＴＮ（Public Switched Telephone Network）に収容されたものである。
【００２７】
ＣＩ受信部１１は、ＣＩ信号の検出・受信を行う。
【００２８】
さて、ＣＰＵ１がＲＯＭ２に格納された制御プログラムに基づいて動作することで実現される制御手段としては、ファクシミリ装置における周知の一般的なものに加えて、端末通知番号認識手段および転送結果通知手段を有している。
【００２９】
ここで端末通知番号認識手段は、ファクシミリ受信時に到来するＴＳＩ（ＩＴＵ−ＴのＴ．３０勧告におけるTransmitting Subscriber Identification）に基づいて、送信元のファクシミリ端末から通知される電話番号である端末通知番号を認識する。
【００３０】
転送結果通知手段は、受信した画像データを他のファクシミリ端末に対して転送した場合に、その転送の結果を示す転送結果リストを作成する。そして転送結果通知手段はこの転送結果リストを、端末通知番号認識手段により認識された端末通知番号およびＣＩ受信部１１により認識された発信元の電話番号である網通知番号に基づいて決まる相手先へと送信する。
【００３１】
次に以上のように構成されたファクシミリ装置の動作につき説明する。
【００３２】
通信を開始することが可能な待ち受け状態において着呼が発生し、この旨がＮＣＵ１０により検出されたことに応じて、ＣＰＵ１は図２に示すような着呼時処理を開始する。
【００３３】
また着呼時に、発信者番号を含んだＣＩ信号が通信回線Ｃを介して到来したならば、ＣＩ受信部１１によりそのＣＩ信号が受信され、発信者番号が認識される。
【００３４】
さて、着呼時処理においてＣＰＵ１はまず、画像受信の準備処理をＩＴＵ−ＴのＴ．３０勧告に準じた手順で実行する（ステップＳＴ１）。このとき、ＴＳＩ信号にて送信元の電話番号（送信元番号）の通知がなされたならば、ＣＰＵ１はその通知された送信元番号をＲＡＭ３に格納しておく。
【００３５】
そして準備手順が完了したら、その準備手順のなかでサブアドレスが指定されたか否かの判断を行う（ステップＳＴ２）。
【００３６】
ここでもし、サブアドレスの指定がなされていないのならば、これから受信する画像を他のファクシミリ端末へと転送する必要がないから、ＣＰＵ１は、受信した画像を即座にプリンタ８により印字出力させるなどの周知の一般的な手順で画像受信処理を行う（ステップＳＴ３）。そしてこのときにＣＰＵ１は、この画像受信処理が完了したならば、そのまま今回の着呼時処理を終了する。
【００３７】
これに対して、サブアドレスの指定がなされているならば、これから受信する画像の他のファクシミリ端末への転送が指定されたので、転送指定時用の画像受信処理を実行する（ステップＳＴ４）。この転送指定時用の画像受信処理は、指定されたサブアドレスに対応するメールボックスへと、受信した画像データを格納する処理である。
【００３８】
転送指定時用の画像受信処理が完了したならばＣＰＵ１は、発信者番号が取得済みであるか否かの判断を行う（ステップＳＴ５）。そして、今回の着呼時にＣＩ受信部１１にて発信者番号が認識されており、発信者番号が取得済みであるならば、ＣＰＵ１はこの発信者番号を今回受信した画像に関する網通知番号としてＲＡＭ３に登録する（ステップＳＴ６）。
【００３９】
続いてＣＰＵ１は、送信元番号が取得済みであるか否かの判断を行う（ステップＳＴ７）。そして、ステップＳＴ１の準備手順で送信元番号が取得できているならば、ＣＰＵ１はその送信元番号を今回受信した画像に関する端末通知番号としてＲＡＭ３に登録する（ステップＳＴ８）。
【００４０】
この端末通知番号の登録を行うか、送信元番号が取得できていなかった場合に、ＣＰＵ１は今回の着呼時処理を終了する。
【００４１】
さてＣＰＵ１は、以上のような着呼時処理により画像メモリ４中のメールボックスに画像データを格納した場合、その画像データをメールボックスに対応する宛先へと周知の手順により転送する。
【００４２】
そしてこのような画像の転送処理が終了したならば、続いてＣＰＵ１は図３に示すような転送結果通知処理をここで終了した画像転送処理を対象として実行する。
【００４３】
この転送結果通知処理においてＣＰＵ１はまず、転送が終了した画像に関する網通知番号および端末通知番号の登録状況を確認する（ステップＳＴ１１乃至ステップＳＴ１３）。
【００４４】
ここで、網通知番号および端末通知番号のいずれも登録されていない場合には、転送結果の通知を行うことができないので、ＣＰＵ１は今回の転送結果通知処理をそのまま終了する。
【００４５】
これに対して、端末通知番号のみが登録されている場合、ＣＰＵ１はこの端末通知番号を用いた発呼をＮＣＵ１０に行わせ（ステップＳＴ１４）、この発呼に応答したファクシミリ端末に対して、この転送結果通知処理が対象とする画像転送処理の結果を示す転送結果リストを作成して、送信する（ステップＳＴ１５）。
【００４６】
そして、この転送結果リストの送信が完了したならば、ＣＰＵ１は今回の転送結果通知処理を終了する。
【００４７】
一方、網通知番号および端末通知番号の双方が登録されている場合、ＣＰＵ１はそれらの番号が同一であるか否かを確認する（ステップＳＴ１６）。そしてここで網通知番号と端末通知番号とが同一であると判断した場合、あるいは網通知番号のみが登録されているとステップＳＴ１３にて判断した場合には、ＣＰＵ１は網通知番号を用いた発呼をＮＣＵ１０に行わせ（ステップＳＴ１７）、この発呼に応答したファクシミリ端末に対して、この転送結果通知処理が対象とする画像転送処理の結果を示す転送結果リストを作成して、送信する（ステップＳＴ１８）。
【００４８】
そして、この転送結果リストの送信が完了したならば、ＣＰＵ１は今回の転送結果通知処理を終了する。
【００４９】
さらに、網通知番号と端末通知番号とが同一ではないとステップＳＴ１６にて判断した場合には、ＣＰＵ１は網通知番号を用いた発呼をＮＣＵ１０に行わせ（ステップＳＴ１９）、この発呼に応答したファクシミリ端末に対して、この転送結果通知処理が対象とする画像転送処理の結果を示す転送結果リストを作成して、送信する（ステップＳＴ２０）。
【００５０】
この転送結果リストの送信が完了したならばＣＰＵ１は続いて、端末通知番号を用いた発呼をＮＣＵ１０に行わせ（ステップＳＴ２１）、この発呼に応答したファクシミリ端末に対して、この転送結果通知処理が対象とする画像転送処理の結果を示す転送結果リストを作成して、送信する（ステップＳＴ２２）。
【００５１】
そして、このステップＳＴ２２における転送結果リストの送信が完了したならば、ＣＰＵ１は今回の転送結果通知処理を終了する。
【００５２】
続いて、以上のようなファクシミリ装置により画像の転送および転送結果の通知が行われる具体例を図４を参照して説明する。
【００５３】
この図において、符号２１，２２，２３，２４を付して示すものはそれぞれファクシミリ装置であり、以下ではそれぞれＡ局、Ｂ局、Ｃ局、Ｄ局と称する。これらのファクシミリ装置２１〜２４は、いずれも発信者番号通知機能を有したＰＳＴＮ２５に接続されている。
【００５４】
ここでは、Ａ局２１が画像の大元の送信元であり、このＡ局２１から送信された画像をＢ局２２およびＣ局２３を中継してＤ局２４へと伝送する例を示す。
【００５５】
そしてこのような形態での転送を行うために、Ｃ局２３の画像メモリ４には、Ｄ局２４が転送先として指定されるとともに、「ＳＵＢ２」なるサブアドレスが設定されたメールボックスが用意されている。またＢ局２２の画像メモリ４には、Ｃ局２３における「ＳＵＢ２」なるサブアドレスが設定されたメールボックスが転送先として指定されるとともに、「ＳＵＢ１」なるサブアドレスが設定されたメールボックスが用意されている。
【００５６】
さて、まずＡ局２１がＢ局２２への発呼をＰＳＴＮ２５に要求すると、ＰＳＴＮ２５はＢ局２２を呼び出すとともに、Ａ局２１の電話番号（Ａ局番号）を示したＣＩ信号Ｓ１をＢ局２２へと与える。
【００５７】
そしてＢ局２２の応答後に行う通信Ｓ２においてＡ局２１は、サブアドレス「ＳＵＢ１」の指定と、自局の電話番号、すなわちＡ局番号を示したＴＳＩ信号の送信を行う。
【００５８】
Ｂ局２２では、通信Ｓ２で受信した画像についてはサブアドレス「ＳＵＢ１」が指定されているから、そのサブアドレスが設定されたメールボックスに一旦格納する。そしてこのメールボックスには、転送先としてＣ局２３における「ＳＵＢ２」なるサブアドレスが設定されたメールボックスが指定されているのであるから、Ｃ局２３への発呼をＰＳＴＮ２５に要求する。
【００５９】
そうすると、ＰＳＴＮ２５はＣ局２３を呼び出すとともに、Ｂ局２２の電話番号（Ｂ局番号）を示したＣＩ信号Ｓ３をＣ局２３へと与える。
【００６０】
そしてＣ局２３の応答後に行う通信Ｓ４においてＢ局２２は、サブアドレス「ＳＵＢ１」が設定されたメールボックスに対して転送先として設定されているサブアドレス「ＳＵＢ２」の指定を行う。またＣ局２３は、通信Ｓ４にて送信するＴＳＩ信号は、通信Ｓ２のＴＳＩ信号から取得された電話番号を、すなわちＡ局番号を示す。
【００６１】
このようにして、Ｂ局２２からＣ局２３への画像の転送が完了したならば、Ｂ局２２は転送結果リストの送信を行うのであるが、Ｂ局２２が取得できる網通知番号および端末通知番号はいずれもＡ局番号であるから、Ａ局２１への転送結果リストの送信Ｓ５のみを行う。
【００６２】
Ｃ局２３では、通信Ｓ４で受信した画像についてはサブアドレス「ＳＵＢ２」が指定されているから、そのサブアドレスが設定されたメールボックスに一旦格納する。そしてこのメールボックスには、転送先としてＤ局２４（サブアドレス指定無し）が指定されているのであるから、Ｄ局２４への発呼をＰＳＴＮ２５に要求する。
【００６３】
そうすると、ＰＳＴＮ２５はＤ局２４を呼び出すとともに、Ｃ局２３の電話番号（Ｃ局番号）を示したＣＩ信号Ｓ６をＣ局２３へと与える。
【００６４】
そしてＣ局２３の応答後に行う通信Ｓ７においてＣ局２３は、サブアドレスの指定は行わない。またＣ局２３は、通信Ｓ７にて送信するＴＳＩ信号は、通信Ｓ４のＴＳＩ信号から取得された電話番号を、すなわちＡ局番号を示す。
【００６５】
このようにして、Ｃ局２３からＤ局２４への画像の転送が完了したならば、Ｃ局２３は転送結果リストの送信を行うのであるが、Ｃ局２３が取得できる網通知番号はＢ局番号であるのに対し、端末通知番号はＡ局番号であるから、Ｂ局への転送結果リストの送信Ｓ８と、Ａ局２１への転送結果リストの送信Ｓ９のそれぞれを行う。
【００６６】
このように本実施形態によれば、要求に応じて行った画像の転送の結果を示す転送結果リストを、ＰＳＴＮからの発信者番号通知により通知される電話番号やＴＳＩ信号で通知される電話番号を持つ相手に送信するので、画像転送の要求元に対して、転送の結果を通知することができる。
【００６７】
また本実施形態によれば、ＰＳＴＮからの発信者番号通知により通知される電話番号とＴＳＩ信号で通知される電話番号とが異なる場合には、それぞれの電話番号を持つ相手にそれぞれ転送結果リストを送信するので、図４に示す例のように転送を行うファクシミリ装置が、受信したＴＳＩ信号に示された電話番号を送信するＴＳＩ信号に示す機能を有していれば、直接的に画像を送信してきたファクシミリ端末、すなわち転送を行ったファクシミリ端末と、大元の送信元であるファクシミリ端末とのそれぞれに転送の結果を通知することができる。
【００６８】
そしてこのような通知に基づいて、他のファクシミリ端末に対して要求した転送が正しく行えたか否かを容易、かつ確実に確認することが可能となる。
【００６９】
なお、本発明は上記実施形態に限定されるものではない。例えば上記実施形態では、ＰＳＴＮに接続されて使用されるものを例示しているが、ＩＳＤＮ（Integrated Services Digital Network）などの他の網に接続されて使用されるものにも本発明の適用が可能である。
【００７０】
このほか、本発明の要旨を逸脱しない範囲で種々の変形実施が可能である。
【００７１】
【発明の効果】
本発明によれば、所定の通信網を介してファクシミリ通信を行うものであって、かつ受信した画像の転送が送信元から指定された場合には当該画像を所定の転送先へと転送するファクシミリ装置において、発信側加入者の発呼情報を、例えば前記通信網からの通知または前記発呼側端末からの通知に基づいて認識する、発呼情報認識手段と、指定に応じて行った画像転送の結果を含む所定の結果情報を、当該転送した画像の受信の際に前記発呼番号認識手段により認識された発呼情報を用いて発呼して送信する転送結果通知手段とを備えたので、他のファクシミリ端末への画像の転送を行った際に、その転送の結果を画像の転送を要求してきたファクシミリ端末に対して自動的に通知することができるファクシミリ装置となる。
【００７２】
また本発明によれば、発信側加入者へ発呼するための発呼情報を着信側加入者に対して通知する通信網を介してファクシミリ通信を行うものであって、かつ受信した画像の転送が送信元から指定された場合には当該画像を所定の転送先へと転送するファクシミリ装置において、前記通信網からの通知に基づいて発信側加入者の発呼情報を認識する網通知発呼情報認識手段と、発呼側加入者からの通知に基づいてその発呼側加入者の発呼情報を認識する加入者通知発呼情報認識手段と、指定に応じて行った画像転送の結果を含む所定の結果情報を、当該転送した画像の受信の際に前記網通知発呼情報認識手段により認識された発呼情報と前記加入者通知発呼情報認識手段により認識された発呼情報とが同一であるならばその発呼情報を、また異なるならばそれらの発呼情報のそれぞれを用いてそれぞれ発呼して送信する転送結果通知手段とを備えたので、他のファクシミリ端末への画像の転送を行った際に、その転送の結果を画像の転送を要求してきたファクシミリ端末に対して自動的に通知することができ、さらに画像転送の要求が既に別のファクシミリ端末により転送されてきており、その転送を行ったファクシミリ
端末からは大元の要求元の発呼情報が通知されるならば、そのような大元の要求元に対しても画像転送の結果を通知することができるファクシミリ装置となる。
【図面の簡単な説明】
【図１】本発明の一実施形態に係るファクシミリ装置の要部構成を示すブロック図。
【図２】図１中のＣＰＵ１による着呼時処理における処理手順を示すフローチャート。
【図３】図１中のＣＰＵ１による転送結果通知処理における処理手順を示すフローチャート。
【図４】図１に示す構成のファクシミリ装置により画像の転送および転送結果の通知が行われる具体例を説明する図。
【符号の説明】
１…ＣＰＵ
２…ＲＯＭ
３…ＲＡＭ
４…画像メモリ
５…符号化・復号化部
６…操作パネル
７…スキャナ
８…プリンタ
９…モデム
１０…ＮＣＵ
１１…受信部
１２…システムバス
【図１】
0004237330.tif 000002
【図２】
0004237330.tif 000003
【図３】
0004237330.tif 000004
【図４】
0004237330.tif 000005